(57)【要約】【課題】化粧水の回収を行う。【解決手段】噴霧機の噴霧放出口をノズル封止具によって封止した状態で噴霧空気を供給することによって噴霧機ないしその供給路に残留する化粧水を回収するようにしたことにより、噴霧機ないしその供給路における残留化粧水による目づまりを防止できる。【選択図】図８
2008194225.tif 000002
【特許請求の範囲】
【請求項１】
噴霧空気を化粧水と共にノズルから放出させることにより化粧水ミストを噴霧放出口部材から噴霧する噴霧機と、
上記ノズルの上記噴霧放出口を封止するノズル封止具と
を具え、上記ノズル封止具によって上記ノズルの噴霧放出口部材を封止した状態で上記噴霧機に対して上記噴霧空気を供給することによって上記噴霧空気を上記噴霧機から上記化粧水の上記噴霧機への供給路に流すことにより、上記噴霧機ないし上記供給路に残留する上記化粧水を回収する
ことを特徴とする美容ユニット。
【請求項２】
ケースのパネルシート部の上側部に前方に突出するように設けられたプローブと、
上記プローブの上側位置に上記ケースの上記パネルシート部と上面板部との角部を削り落とすように穿設されたミスト噴霧開口と、
上記ミスト噴霧開口内にノズルを突出させ、上記ノズルの噴霧放出口部材から噴霧空気を化粧水と共に放出させることにより化粧水ミストを上記ミスト噴霧開口を通して噴霧する噴霧機と、
上記ノズルの噴霧放出口を封止するノズル封止具と
を具え、上記ノズル封止具によって上記ノズルの噴霧放出口部材を封止した状態で上記噴霧機に対して上記噴霧空気を供給することによって上記噴霧機に対して上記噴霧機から上記化粧水の上記噴霧機への供給路に流すことにより、上記噴霧機ないし上記供給路に残留する上記化粧水を回収する
ことを特徴とする美容ユニット。
【発明の詳細な説明】
【技術分野】
【０００１】
本発明は美容ユニットに関し、特に当該美容ユニットの使用者（これを使用者と呼ぶ）が肌の所定部位に的確な美容処理をできるようにしたものである。
【背景技術】
【０００２】
肌の美容処理について、一般に美容処理を受ける被施術者は美容サロンにおいて超音波トリートメントや、イオンクレンジングや、化粧水の噴霧処理などの美容メニューを受けることができることにより、高度かつ安全性の点で不安がなく、美容効果を楽しむことができる（特許文献１参照）。
【特許文献１】特開２０００−１０２５８３公報
【発明の開示】
【発明が解決しようとする課題】
【０００３】
ところが、このように美容サロンに通うことに代え、またこれと同時に使用者が各自の家庭において、基本的な美容メニューを含んだ肌の美容処理ができる美容ユニットがあれば、便利である。
【０００４】
このように家庭において化粧水の噴霧処理を含むモードで肌の美容処理を行い得る美容ユニットを実現した場合、化粧水の噴霧をした後に美容装置を停止させたままにしておくと、化粧水の供給経路に化粧水が残ったままになるので、目づまりの原因になるおそれがあり、何らかの対策が必要である。
【０００５】
本発明はかかる点を考慮してなされたもので、肌に対する噴霧処理を行った後の化粧水の始末を簡易かつ的確になし得るようにした美容ユニットを提案しようとするものである。
【課題を解決するための手段】
【０００６】
かかる課題を解決するため本発明においては、噴霧空気Ｆ１を化粧水Ｆ２と共にノズル１５Ａから放出させることにより化粧水ミスト２５を噴霧放出口部材１５Ｉから噴霧する噴霧機１５と、ノズル１５Ａの噴霧放出口部材１５Ｉを封止するノズル封止具４０とを具え、ノズル封止具４０によってノズル１５Ａの噴霧放出口部材１５Ｉを封止した状態で噴霧機１５に対して噴霧空気Ｆ１を供給することによって噴霧空気Ｆ１を噴霧機１５から化粧水Ｆ２の噴霧機１５への供給路に流すことにより、噴霧機１５ないし供給路に残留する化粧水Ｆ２を回収するようにする。
【発明の効果】
【０００７】
本発明によれば、噴霧機の噴霧放出口部材をノズル封止具によって封止した状態で噴霧空気を供給することによって噴霧機ないしその供給路に残留する化粧水を回収するようにしたことにより、噴霧機ないしその供給路における残留化粧水による目づまりを防止することができる。
【発明を実施するための最良の形態】
【０００８】
以下図面について、本発明の一実施の形態を詳述する。
【０００９】
（１）全体構成
図１及び図２において、１は全体として美容ユニットを示し、絶縁性断面Ｕ字状縦長のケース本体部２Ａの前表面に長方形状の絶縁性パネルシート部２Ｂを形成したケース２を有する。
【００１０】
パネルシート部２Ｂの上側部分には、円筒状プローブ３が前方に突出するように設けられていると共に、当該プローブ３の上側位置にこれと隣接するようにミスト噴霧開口４が穿設されている。
【００１１】
プローブ３は図３に示すように、ケース２のパネルシート部２Ｂに取り付けられた絶縁性台部材１１の先端に、チタニウム材料でなる円形キャップ状のヘッド部１２が接合部１２Ａによって嵌め込み及び接着により保持されている。
【００１２】
ヘッド部１２の内側にはピエゾ素子でなる振動子１３が取り付けられ、そのリード線１３Ａから１．４〔Ｍｚ〕の超音波駆動信号が与えられたとき、振動子１３がヘッド部１２と一体に振動するようになされている。
【００１３】
ミスト噴霧開口４は、図４に示すように、ケース２のパネルシート部２Ｂと上面板部２Ｃとが連接する角部を前上方から削り落すことにより、前方から見たとき卵型形状を呈するような凹形状の内壁面４Ａを形成している。
【００１４】
かくして凹形状の内壁面４Ａの奥行き方向の突き当たり部に、断面円形の透孔４Ｂが形成され、この透孔４Ｂ内に噴霧機１５のノズル１５Ａの噴霧放出口部材１５Ｉ（図５）が配設されている。
【００１５】
噴霧機１５には、化粧水用ボトル２１に接続された化粧水用チューブ２２が結合されていると共に、噴霧空気用ポンプ２３に接続された噴霧空気用チューブ２４が結合されている。
【００１６】
噴霧機１５は、図５に示すように、円柱形状の噴霧空気分流部材１５Ｂを有し、噴霧空気用チューブ２４が結合される導入端１５Ｃに下方から送り込まれた噴霧空気Ｆ１を前方向に向って形成された４つの放出孔１５Ｄに分流して放出させる。
【００１７】
４つの放出孔１５Ｄは、噴霧空気分流部材１５Ｂの中心部を前後方向に貫通するように設けられた化粧水案内管１５Ｅの周囲における均等な位置に設けられ、これにより化粧水案内管１５Ｅの後方端部１５Ｆに対して化粧水用チューブ２２から与えられた化粧水Ｆ２が化粧水案内管１５Ｅの前方端部１５Ｇに案内されて来たとき当該案内されて来た化粧水Ｆ２を４つの放出孔１５Ｄから放出される噴霧空気Ｆ１と共に化粧水案内管１５Ｅの先端から前方にほぼ均一に放出させる。
【００１８】
噴霧空気分流部材１５Ｂの先端には、前方に行くに従って先細り形状をもつ収束管部１５Ｈが化粧水案内管１５Ｅの前方端部１５Ｇを覆うように設けられ、これにより放出孔１５Ｄから放出された噴霧空気Ｆ１を当該前方端部１５Ｇの周囲に収束させるように流す。
【００１９】
収束管部１５Ｈの先端には、化粧水案内管１５Ｅの前方端部１５Ｇを取り囲むように（前端面が前方端部１５Ｇの前端面より僅かに前方に出た状態で）、当該前方端部１５Ｇの外径より僅かに大きい内径を有する円筒形状の噴霧放出口部材１５Ｉが設けられ、これにより収束管部１５Ｈによって収束された噴霧空気Ｆ１が化粧水案内管１５Ｅの前方端部１５Ｇと、噴霧放出口部材１５Ｉとの間の狭い間隙を通って当該前方端部１５Ｇの先端位置を高速度で流れることにより、前方端部１５Ｇ内にある化粧水Ｆ２を引き連れて微細な液滴として噴霧放出口部材１５Ｉから前方に噴射させる。
【００２０】
かくして噴霧放出口部材１５Ｉから噴出空気Ｆ１と共に噴出された化粧水Ｆ２は、噴霧放出口部材１５Ｉの先端から前方に円錐形状に広がりながら高速度で噴射する化粧水ミスト２５を形成する。
【００２１】
これと共に、化粧水案内管１５Ｅの前方端部１５Ｇの管内には、先端周囲を噴霧空気Ｆ１が高速度で流れることにより負圧が生じ、これにより化粧水用チューブ２２を介して化粧水ボトル２１内の化粧水が噴霧放出口部材１５Ｉに導出されて行く。
【００２２】
かくして噴霧機１５は、噴霧空気用ポンプ２３から噴霧空気用チューブ２４を通って噴霧空気が送り込まれたとき、ノズル１５Ａの先端に設けられている噴霧放出口部材１５Ｉから円錐形状をもった化粧水ミスト２５を噴射させ、これをミスト噴霧開口４の透孔４Ｂを通ってミスト噴霧開口４から前方に噴霧するようになされている。
【００２３】
この実施の形態の場合、プローブ３のヘッド部１２は直径が約２５〔ｍｍ〕の円形形状を有すると共に、ヘッド部１２と噴霧機１５のノズル１５Ａの前端面との間の距離が５０〔ｍｍ〕に選定されており、かくしてプローブ３のヘッド部１２を美容処理対象であるユーザの肌（例えば顔肌）３０に押し付けたとき、化粧水ミスト２５が肌３０上に約３０〔ｍｍ〕の円形の噴霧スポット２５Ａを形成すると共に、当該噴霧スポット２５Ａの下縁とプローブ３のヘッド部１２との間に僅かな間隙、例えば１〜５〔ｍｍ〕程度の僅かな間隙を形成するようにヘッド部１２と噴霧機１５のノズル１５Ａとの間の距離が設定されている。
【００２４】
ケース２のパネルシート部２Ｂの下側部分（図２）には、動作モード選択ボタン３５と、液晶表示部材で構成された動作モード表示部３６とが設けられている。
【００２５】
動作モード選択ボタン３５は、美容ユニット１に対する電源の供給及び停止を操作する電源ボタン３５Ａと、ミストモードボタン３５Ｂと、超音波モードボタン３５Ｃと、イオン導入モードボタン３５Ｄを有する。
【００２６】
ミストモードボタン３５Ｂが操作されたとき、噴霧空気用ポンプ２３が駆動されることにより、噴霧機１５がノズル１５Ａから化粧水ミスト２５を噴霧する動作を行わせ、この状態から再度ミストモードボタン３５Ｂが操作されたとき、噴霧空気用ポンプ２３を停止させることにより当該ミストモードを停止させる。
【００２７】
またイオン導入モードボタン３５Ｄが操作されたとき、ヘッド部１２が「マイナス」又は「プラス」電位を維持することにより、肌３０に対してイオン導入電流を流すことにより、化粧水のイオン導入処理又は毛穴の汚れの引出し処理を行わせる。
【００２８】
このイオン導入動作モード時には、ケース２のケース本体部２Ａのパネルシート部２Ｂの両側に沿うように設けられた対極導子３７（図１）を使用者に触れさせ、かつ、ヘッド部１２を肌３０に当てることにより、使用者の肌３０へのイオン導入電流をプローブ３のヘッド部１２から流させるようになされている。
【００２９】
超音波モードボタン３５Ｃが操作されたとき、プローブ３のヘッド部１２と一体に設けられている振動子１３が振動し、当該ヘッド部１２に押し当てられている肌３０に振動を与えることにより、肌３０に対して美容効果を生じさせる。
【００３０】
美容ユニット１はこれらの動作モードになったとき、当該動作状態は動作モード表示部３６に表示され、これにより使用者が現在行われている美容動作モードを確認できるようになされている。
【００３１】
以上の構成において肌３０の美容処理の開始時において、使用者は美容ユニット１のケース２の中央部分を手のひらで握って電源ボタン３５Ａを操作した後、ミストモードボタン３５Ｂを操作することによって噴霧機１５から化粧水ミスト２５を噴射させる。
【００３２】
このとき使用者がプローブ３のヘッド部１２を肌３０から離した位置で化粧水ミスト２５を噴射させるようにすれば、化粧水ミスト２５は円錐形状に形成されることにより、図４の噴霧スポット２５Ａより広い肌３０の部位に化粧水ミスト２５を当てることができ、これによりこれから美容処理をしようとする部位に対して必要に応じて十分な化粧水を噴霧できることにより簡易に美容処理の下地を作ることができる。
【００３３】
かくするにつき、噴霧機１５から噴霧される化粧水ミスト２５が、ミスト噴霧開口４を通った後プローブ３のヘッド部１２の近傍位置を通ってヘッド部１２から離れた位置にある肌３０に噴霧される際に、ヘッド部１２を通るときの噴霧スポット２５Ａがヘッド部１２との間に間隙を保持するようにされていると共に、ミスト噴霧開口４の内壁面４Ａがケース２の上面板部２Ｃの上方に開放されていることにより、使用者が噴霧したいと考えている顔肌の部位に、容易に噴霧状態を意識しながら、化粧水ミスト２５を噴霧することができる。
【００３４】
因に、プローブ３の肌３０に当たるヘッド部１２に対して、ノズル１５Ａが後方に位置しているので、プローブ３を肌３０に当てた上体で化粧水ミスト２５を噴霧させても、化粧水ミスト２５の広がり具合に応じて程よいスポットが形成される。この結果、使用者は、化粧水ミスト２５を噴霧させながらトリートメントすることができる。
【００３５】
これに加えて、通常、顔に化粧水を噴霧する場合、使用者の多くは目を閉じる。すると顔のどの場所に化粧水ミスト２５が当たるかが分からなく不安になるおそれがあるが、プローブ３を肌３０に当てることで、化粧水ミスト２５が肌３０のどの位置に噴霧されるか容易にわかるので、不安の原因を改善できる。
【００３６】
さらに、パネルシート部２Ｂの上端を削り落してミスト噴霧開口４を設けた形状にしたことにより、鼻の際にプローブ３を当てても、ケース２の上端部を鼻にぶつけることなくトリートメントができる。
【００３７】
このミストモードにおける化粧水の噴霧が終わった後、当該化粧水の噴霧と同時に、イオン導入モードや超音波モードで美容処理を行う場合には、使用者は、当該ミストモードボタン３５Ｂの操作に加えてイオン導入モードボタン３５Ｄ及び又は超音波モードボタン３５Ｃを操作すると共に、プローブ３のヘッド部１２を肌３０上に押し付ける操作をする。
【００３８】
このとき肌３０上には、図４に示すような所定の大きさの噴霧スポット２５Ａに化粧水ミスト２５が噴霧された状態において、これと同時にプローブ３のヘッド部１２とイオン導入動作及び又は超音波振動動作をする状態になる。
【００３９】
このとき使用者は、プローブ３のヘッド部１２を肌３０上を滑らせるようにゆっくり螺旋を描くようなトリートメント操作をすると、噴霧スポット２５Ａに化粧水ミスト２５を噴霧した部位にプローブ３のヘッド部１２を接触させて行くことができることにより、ヘッド部１２と肌３０との間に化粧水が存在する状態でイオン導入処理及び又は超音波振動による美容処理を行うことができ、これにより一度に各モードの美容効果を組み合わせたような美容処理を何ら難しい操作をすることなく安全に行うことができる。
【００４０】
かくするにつき、噴霧スポット２５Ａとヘッド部１２との間に間隙を置くと共に、ミスト噴霧開口４を上方に開放するように構成したことにより、使用者は化粧水ミスト２５を意識しながら、プローブ３のヘッド部１２に過剰な化粧水を噴霧することなく使用者が容易に考えた通りの美容操作をすることができる。
【００４１】
以上の構成によれば、プローブ３のヘッド部１２と隣接する位置に上方に開放されているミスト噴霧開口４を通って化粧水ミスト２５を噴射できるようにしたことにより、美容サロンにおいて受けることができる美容メニューを使用者自身が容易かつ安全に行うことができるような家庭用として便利な美容ユニットを得ることができる。
【００４２】
（２）化粧水の回収処理
使用者は、美容ユニット１をミストモードで使用することによりミスト噴霧開口４から化粧水ミスト２５を噴射した後、美容処理を終わらせようとしたとき、図６（Ａ）に示すように、ノズル封止具４０を前方からミスト噴霧開口４にはめ込むことにより、図６（Ｂ）に示すようなノズルの封止状態を得た後、ミストモードボタン３５Ｂを操作することにより、図８に示すように、噴霧空気Ｆ１を送り込むような動作状態にする。
【００４３】
ノズル封止具４０は、図７に示すように、柔軟性をもった合成樹脂材料で全体として船形構造を有する封止具本体４０Ａを有し、封止具本体４０Ａの底面形状がミスト噴霧開口４の内壁面４Ａに適合するような卵型形状を有すると共に、封止具本体４０Ａの上縁部に外方に突出する鍔４０Ｂを有する。
【００４４】
かくして封止具本体４０Ａは、ノズルの封止状態（図６（Ｂ））の状態にミスト噴霧開口４にはめ込まれたとき、封止具本体４０Ａの底面がミスト噴霧開口４に密接すると共に、鍔４０Ｂがミスト噴霧開口４の上縁部に当接することにより、封止具４０をミスト噴霧開口４にしっかりと位置決めできるようになされている。
【００４５】
封止具本体４０Ａの後側面には後方に突出するように封止棒部材４０Ｃが形成され、その突出端に直径が僅かに大きい円板形状を有する蓋部材４０Ｄが形成されている。
【００４６】
かくして使用者は、図６（Ａ）の挿入操作をするとき、人差し指を上方から凹部４０Ｅに突っ込んだ状態で前板部４０Ｆを親指で挟むことによりノズル封止具４０を水平方向に把持でき、この状態で鍔４０Ｂをミスト噴霧開口４の上縁部に当接させながら後方に押し込む操作をすることにより、封止棒部材４０Ｃをミスト噴霧開口４の後縁部に形成された透孔４Ｂ（図４）に押し込むことができるようになされている。
【００４７】
このとき封止棒部材４０Ｃが透孔４Ｂに沿って後方に押し込まれて行き、やがて図８に示すように、蓋部材４０Ｄがノズル１５Ａの噴霧放出口部材１５Ｉの先端面に押し付けられる状態になり、その結果放出孔１５Ｄから放出される噴霧空気Ｆ１の噴霧放出口部材１５Ｉから前方への噴出を蓋部材４０Ｄによって封止する。
【００４８】
以上の構成において、使用者がノズル封止具４０をミスト噴霧開口４にはめ込んだ状態でミストモード操作をすると、図９に示すように、噴霧空気用ポンプ２３から噴霧空気用チューブ２４を通って噴霧機１５に送り込まれる噴霧空気Ｆ１は、ノズル１５Ａにおいて図８に示すように噴霧空気分流部材１５Ｂの放出孔１５Ｄから放出したとき、当該噴霧空気Ｆ１は収束管部１５Ｈによって噴霧放出口部材１５Ｉの放出端に向って収束されるが、当該噴霧放出口部材１５Ｉの先端面がノズル封止具４０の蓋部材４０Ｄによって閉塞されていることにより噴霧放出口部材１５Ｉから噴出できない状況になる。
【００４９】
かくして出口を失った噴霧空気Ｆ１は図８において、矢印ａで示すように、収束管部１５Ｈから化粧水案内管１５Ｅの前方端部１５Ｇと噴霧放出口部材１５Ｉとの狭い間隙を通った後、前方端部１５Ｇから化粧水案内管１５Ｅ内に流れ込むような状態になる。
【００５０】
このとき化粧水案内管１５Ｅには以前に行われたミスト噴霧処理において使用された化粧水Ｆ２が化粧水用チューブ２２から送り込まれて残留している状態にあるが、当該残留した化粧水は前方端部１５Ｇから流れ込む噴霧空気Ｆ１によって後方端部１５Ｆから化粧水用チューブ２２に回収液Ｆ３として押し戻される。
【００５１】
この回収液Ｆ３の押し戻し動作は、図９に示すように、化粧水用チューブ２２が接続されている化粧水ボトル２１に至るまで続けられ、その結果回収液Ｆ３は噴霧空気Ｆ１によって化粧水ボトル２１に回収される。
【００５２】
この実施の形態の場合、化粧水ボトル２１の蓋２１Ａには、空気抜き用小孔２１Ｂが設けられ、これにより化粧水ボトル２１まで回収液Ｆ３を押し戻した噴霧空気Ｆ１は当該空気抜き用小孔２１Ｂから排気Ｆ４として排気される。
【００５３】
以上の構成によれば、使用者が美容ユニット１を用いて化粧水ミスト２５を肌３０に噴霧する美容処理をした後、当該美容ユニット１の使用を止める際に、ノズル封止具４０をミスト噴霧開口４にはめ込んだ状態でミストモードボタン３５Ｄを操作するだけの簡易な操作によって、化粧水ミスト２５を生じさせるために化粧水ボトル２１から噴霧機１５にまで導出されていた化粧水を化粧水ボトル２１に回収することができる。
【００５４】
この結果美容ユニット１は使用者が化粧水ミスト２５による美容作業を終了するごとに化粧水を回収できることにより、化粧水ボトル２１から化粧水用チューブ２２を通って噴霧機１５の化粧水案内管１５Ｅまでの化粧水供給路や、噴霧機１５内に、化粧水を残留させないことにより常に当該化粧水供給路や噴霧機１５をきれいな状態に維持できる。
【００５５】
因に当該化粧水供給部材内に化粧水を残留させたまま放置すると、これが供給路の内壁に付着して汚れや目づまりを生じさせる原因になるのに対して、以上の構成によればこの問題を有効に解決することができる。
【００５６】
（３）他の実施の形態
上述の実施の形態においては、ミスト噴霧開口４にノズル封止具４０を差し込んだ際に、封止棒部材４０Ｃを噴霧機１５のノズル１５Ａの噴霧放出口部材１５Ｉに直接当接することにより、ノズル１５Ａからの噴霧空気Ｆ１の放出を封止する（図８）ように構成したが、これに代え、図１０及び図１１に示すように、蓋部材４０Ｄとノズル１５Ａの先端面との間に間隙４５を設けるようにしても良い。
【００５７】
この場合、ミスト噴霧開口４の透孔４Ｂの内壁面４Ａに円環状のくぼみ４６が形成され、封止棒部材４０Ｃが透孔４Ｂ内に挿入されたとき、蓋部材４０Ｄの外縁部がその可撓性を利用してくぼみ４６内に密接状態になるように嵌まり込み、これにより噴霧機１５のノズル１５Ａの先端から空隙４５に送出された噴霧空気Ｆ１が、蓋部材４０Ｄからミスト噴霧開口４側に漏れ出さないように封止される。
【００５８】
この実施の形態の場合、噴霧機１５のノズル１５Ａの根元外周部に円環状のＯリング４７が設けられ、これにより噴霧機１５が透孔４Ｂにノズル１５Ａを差し込んだ状態に取り付けられたとき、ノズル１５Ａから間隙４５に送出された噴霧空気Ｆ１がケース２の室内側に漏れ出さないように封止されている。
【００５９】
以上の構成によれば、ケース２のミスト噴霧開口４にノズル封止具４０が差し込まれたとき、封止棒部材４０Ｃの先端に設けられた蓋部材４０Ｄが、噴霧機１５のノズル１５Ａの先端との間に間隙４５を形成しながら透孔４Ｂを封止することにより、化粧水用チューブ２２から回収液Ｆ３を回収する際に、図８について上述したように、蓋部材４０Ｄが透孔４Ｂを封止していることにより噴霧空気分流部材１５Ｂから放出孔１５Ｄを通って放出された噴霧空気Ｆ１が化粧水案内管１５Ｅに前方端部１５Ｇ側から逆流し、これにより回収液Ｆ３を化粧水用チューブ２２側に送り出すことができる。
【００６０】
かくするにつき、ノズル封止具４０の蓋部材４０Ｄが噴霧機１５のノズル１５Ａの先端に直接接触することなく間隙４５を形成するようにしたことにより、ノズル封止具４０が繰り返しミスト噴霧開口４に差し込まれてその蓋部材４０Ｄが繰り返し透孔４Ｂに対して封止動作しても、これにより噴霧機１５のノズル１５Ａに予想外の当接力が付与されることがなく、その結果ノズル１５Ａの先端面が傷ついたり汚れたりするおそれを有効に防止し得る。
【産業上の利用可能性】
【００６１】
本発明は家庭用の美容ユニットに適用できる。
【図面の簡単な説明】
【００６２】
【図１】本発明の一実施の形態による美容ユニットを示す斜視図である。
【図２】図１の美容ユニットの正面図である。
【図３】図１のプローブ３の詳細構成を示す部分的断面図である。
【図４】化粧水ミストの噴霧構成の説明に供する略線図である。
【図５】噴霧機の詳細構成を一部を透視して示す斜視図である。
【図６】（Ａ）及び（Ｂ）はノズルの封止操作及び封止状態を示す略線図である。
【図７】（Ａ）、（Ｂ）、（Ｃ）及び（Ｄ）はノズル封止具の側面、背面、正面及び平面構成を示す側面図、背面図、正面図及び平面図である。
【図８】噴霧機の化粧水の回収動作の説明に供する略線図である。
【図９】化粧水供給路における回収動作の説明に供する略線図である。
【図１０】第２の実施の形態によるノズル封止構成を示す部分断面図である。
【図１１】図１０の詳細構成を示す拡大断面図である。
【符号の説明】
【００６３】
１……美容ユニット、２……ケース、２Ａ……ケース本体部、２Ｂ……パネルシート部、２Ｃ……上面板部、３……プローブ、４……ミスト噴霧開口、４Ａ……内壁面、１１……台部材、１２……ヘッド部、１２Ａ……接合部、１３……振動子、１３Ａ……リード線、１５……噴霧機、１５Ａ……ノズル、１５Ｂ……噴霧空気分流部材、１５Ｃ……導入端、１５Ｄ……放出孔、１５Ｅ……化粧水案内管、１５Ｆ……後方端部、１５Ｇ……前方端部、１５Ｈ……収束管部、１５Ｉ……噴霧放出口部材、２１……化粧水ボトル、２２……化粧水用チューブ、２３……噴霧空気用ポンプ、２４……噴霧空気用チューブ、２５……化粧水ミスト、２５Ａ……噴霧スポット、３０……肌、３５……動作モード選択ボタン、３５Ａ……電源ボタン、３５Ｂ……ミストモードボタン、３５Ｃ……超音波モードボタン、３５Ｄ……イオン導入モードボタン、３６……動作モード表示部、４０……ノズル封止具、４０Ａ……封止具本体、４０Ｂ……鍔、４０Ｃ……封止棒部材、４０Ｄ……蓋部材、４０Ｅ……凹部、４０Ｆ……前板部、４５……間隙、４６……くぼみ、４７……Ｏリング。
【図１】
2008194225.tif 000003
【図２】
2008194225.tif 000004
【図３】
2008194225.tif 000005
【図４】
2008194225.tif 000006
【図５】
2008194225.tif 000007
【図６】
2008194225.tif 000008
【図７】
2008194225.tif 000009
【図８】
2008194225.tif 000010
【図９】
2008194225.tif 000011
【図１０】
2008194225.tif 000012
【図１１】
2008194225.tif 000013